(57)【要約】【課題】ノイズやクロストークを効果的に抑制できる画像読取装置を提供する。【解決手段】原稿からの光を画像信号に変換し、ライン状に配列され且つ複数のブロックに分けられている受光素子と、そのブロックにそれぞれ接続され、画像信号が出力される複数の信号線とを備える。また、信号線が接続されるコネクタを備える。コネクタは、信号線が並走する距離が最短となる位置に設けられている。これにより、ノイズやクロストークを抑制することが可能になる。【選択図】図４
2007251317.tif 000002
【特許請求の範囲】
【請求項１】
原稿からの光を画像信号に変換し、ライン状に配列され且つ複数のブロックに分けられている受光素子と、
前記ブロックにそれぞれ接続され、前記画像信号が出力される複数の信号線と、
前記信号線が接続されるコネクタと、
を備え、前記コネクタは、前記信号線が並走する距離が最短となる位置に設けられていることを特徴とする画像読取装置。
【請求項２】
原稿からの光を画像信号に変換し、ライン状に配列され且つ複数のブロックに分けられている受光素子と、
前記ブロックにそれぞれ接続され、前記画像信号が出力される複数の信号線と、
前記信号線が接続されるコネクタと、
を備え、前記コネクタは、[ブロック数／２]番目のブロック（[]はガウス記号）に対応する位置に設けられていることを特徴とする画像読取装置。
【請求項３】
原稿からの光を画像信号に変換し、ライン状に配列され且つ複数のブロックに分けられている受光素子と、
前記ブロックにそれぞれ接続され、前記画像信号が出力される複数の信号線と、
前記信号線が接続されるコネクタと、
を備え、前記コネクタは、[ブロック数／２]＋１番目のブロック（[]はガウス記号）に対応する位置に設けられていることを特徴とする画像読取装置。
【請求項４】
前記受光素子は、３ｎ個のブロック（ｎは正整数）に分けられている請求項１ないし３のいずれか１項に記載の画像読取装置。
【請求項５】
前記受光素子は、Ａ３サイズの前記原稿の横幅を読取可能な数がライン状に配列されている請求項１ないし４のいずれか１項に記載の画像読取装置。
【発明の詳細な説明】
【技術分野】
【０００１】
本発明は画像読取装置に関するものである。
【背景技術】
【０００２】
従来から、ファクシミリ、コピー機、スキャナもしくはこれらの複合機には、原稿の読取を行うための画像読取装置が搭載されている。この種の画像読取装置には、原稿からの反射光を受光して光電変換する受光素子が直線状に配列されたイメージセンサが用いられる。例えば下記特許文献１には、このイメージセンサを備えた画像読取装置が開示されている。
【特許文献１】特開２００３−２９８８１３号公報
【０００３】
イメージセンサの一例を図１４（Ａ）に示す。このように、基板１１４に複数個のイメージセンサＩＣチップが配列されており、それぞれのイメージセンサＩＣチップには受光素子（図示しない）が形成されている。原稿からの反射光を受光素子が受光すると、その光量に応じた画像信号が出力される。イメージセンサＩＣチップはｂ１〜ｂ３の計３個のブロックに分割されており、ブロックごとに原稿の読取を行う。
【発明の開示】
【発明が解決しようとする課題】
【０００４】
各ブロックから出力された画像信号は、信号線１０５を通ってコネクタ１１８に伝達される。図１４（Ａ）のように、従来の画像読取装置ではコネクタ１１８を基板１１４の端に設けていたため、信号線１０５の長さが長くなっていた。そのため、コネクタ１１８に近いブロックｂ１と、離れているブロックｂ３との間でインピーダンスの差が生じ、コネクタ１１８から離れているブロックｂ３の画像出力にノイズが乗りやすくなる問題があった。また、複数の信号線１０５が並走する距離が長く、かつ信号線１０５間の間隔が狭いため、クロストークが発生しやすくなっていた。
【０００５】
さらに、従来のイメージセンサは図１４（Ｂ）に示すように、コネクタ１１８が位置決め部材１５５，１５６の付近にくるため、フレキシブルフラットケーブル１３９の引き回しが困難になり、組立て性が悪化するという問題があった。
【０００６】
本発明は上述のような事情を背景になされたもので、特に、ノイズやクロストークを効果的に抑制できる画像読取装置を提供することを課題とする。また、フレキブルフラットケーブルの引き回しを容易にし、組立て性が良好な画像読取装置を提供することを第二の課題とする。
【課題を解決するための手段および発明の効果】
【０００７】
請求項１記載の発明は、
原稿からの光を画像信号に変換し、ライン状に配列され且つ複数のブロックに分けられている受光素子と、
前記ブロックにそれぞれ接続され、前記画像信号が出力される複数の信号線と、
前記信号線が接続されるコネクタと、
を備え、前記コネクタは、前記信号線が並走する距離が最短となる位置に設けられていることを特徴とする画像読取装置である。
【０００８】
上記発明によると、複数の信号線が並走する距離が最短となる位置にコネクタが設けられているため、クロストークが発生しにくい。また、ブロックとコネクタとが離れすぎることがないため、ノイズが生じにくくなる。
【０００９】
請求項２記載の発明は、
原稿からの光を画像信号に変換し、ライン状に配列され且つ複数のブロックに分けられている受光素子と、
前記ブロックにそれぞれ接続され、前記画像信号が出力される複数の信号線と、
前記信号線が接続されるコネクタと、
を備え、前記コネクタは、[ブロック数／２]番目のブロック（[]はガウス記号）に対応する位置に設けられていることを特徴とする画像読取装置である。
【００１０】
上記発明によると、[ブロック数／２]番目のブロック（[]はガウス記号）に対応する位置にコネクタが設けられている。例えばブロック数が６の場合は、３番目のブロックに対応する位置にコネクタが設けられる。このようにすると、各ブロックとコネクタを接続する信号線が並走する距離が短くなるため、クロストークが発生しにくくなる。また、ノイズも生じにくい。
【００１１】
請求項３記載の発明は、
原稿からの光を画像信号に変換し、ライン状に配列され且つ複数のブロックに分けられている受光素子と、
前記ブロックにそれぞれ接続され、前記画像信号が出力される複数の信号線と、
前記信号線が接続されるコネクタと、
を備え、前記コネクタは、[ブロック数／２]＋１番目のブロック（[]はガウス記号）に対応する位置に設けられていることを特徴とする画像読取装置である。
【００１２】
上記発明によると、[ブロック数／２]＋１番目のブロック（[]はガウス記号）に対応する位置にコネクタが設けられている。例えばブロック数が３の場合、２番目のブロックに対応する位置にコネクタが設けられる。また、ブロック数が６の場合、４番目のブロックに対応する位置にコネクタが設けられる。このようにすると、各ブロックとコネクタを接続する信号線が並走する距離が短くなるため、クロストークが発生しにくくなる。また、ノイズも生じにくい。
【００１３】
請求項４記載の発明は、
前記受光素子は、３ｎ個のブロック（ｎは正整数）に分けられている画像読取装置である。
【００１４】
受光素子を３ｎ個のブロック（ｎは正整数）に分けると、３チャンネル（ＣＨ）のＡ／Ｄ変換器を用いてＡ／Ｄ変換することができる。カラー画像を読み取る際には赤・緑・青に対応した画像信号をそれぞれＡ／Ｄ変換するので、変換速度を上げるために３ＣＨのＡ／Ｄ変換器が一般に用いられる。受光素子を３ｎ個のブロックに分割しておくことで、白黒画像の読取の際にも、３ＣＨのＡ／Ｄを使ってパラレルに処理できるようになり、画像読取速度を速くすることができる。
【００１５】
また、６ＣＨや９ＣＨのように多チャンネル化すると、並走する信号線の数が多くなるため、従来の構造ではクロストークが発生しやすくなる。さらに、コネクタとブロックの距離が長くなるため、ノイズものりやすくなる。そのため、ブロックの中央付近にコネクタを配置してノイズやクロストークの発生を抑制するという本発明の効果が特に顕著に表れる。
【００１６】
請求項５記載の発明は、
前記受光素子は、Ａ３サイズの前記原稿の横幅を読取可能な数がライン状に配列されている画像読取装置である。
【００１７】
イメージセンサを、Ａ３サイズの原稿の横幅を読み取れる大きさに構成すると、従来の構造では信号線が並走する距離が長くなるため、クロストークが発生しやすくなる。また、ノイズものりやすくなる。そのため、ブロックの中央付近にコネクタを配置してノイズやクロストークの発生を抑制するという本発明の効果が特に顕著に表れる。
【発明を実施するための最良の形態】
【００１８】
本発明の実施形態を、図面を参照しながら以下に説明する。
図１は、本発明の画像読取装置としての複合機１の外観図であり、図２はその動作状態説明図である。複合機１は例えば、ＦＡＸ機能、スキャナ機能、コピー機能を備えた装置として構成される。複合機１は、ＡＤＦ（オートドキュメントフィーダ）原稿セットトレイ３、原稿ガイド５、紙送りローラ７、ＡＤＦ原稿排紙トレイ９、コンタクトガラス１１、イメージセンサ２１からなるＡＤＦ読み取り機構を備えている。また、これに加えて、ＦＢ（フラットベッド）押さえ板１７とガラス製のＦＢ原稿台１９と、前述のイメージセンサ２１を含むＦＢ読み取り機構をも備えている。
【００１９】
ＡＤＦ読み取り機構によって画像を読み取る場合は、図２（Ａ）に示すように、ＡＤＦ原稿セットトレイ３上に原稿Ａをセットして読み取り開始を指令することにより、紙送りローラ７が回転して原稿Ａをコンタクトガラス１１上を通過させる。すると、コンタクトガラス１１の直下にあるイメージセンサ２１が、コンタクトガラス１１を介して原稿Ａの画像を読み取る。これに対し、ＦＢ読み取り機構によって画像を読み取る場合は、図２（Ｂ）に示すように、ＦＢ原稿台１９の上に原稿Ｂを置き、ＦＢ押さえ板１７で原稿ＢをＦＢ原稿台１９に押し当てた状態として読み取り開始を指令することにより、イメージセンサ２１が図示矢印のように移動しつつ、原稿Ｂの画像の読み取りを実行する。
【００２０】
次に、図３のブロック図について説明する。このように、複合機１の本体内部に含まれるメインボード２８は、ＣＰＵ３０，ＲＡＭ３１，ＲＯＭ３２，ゲートアレイ３３，ＮＣＵ（Network  Control  Unit：網制御装置）３４，モデム３５，ＥＥＰＲＯＭ３６，コーデック３７，ＤＭＡＣ（Direct  Memory  Access  Controller）３８などを含んで構成されている。これらの部品はバスライン２６により相互に接続されている。バスライン２６には、アドレスバス、データバス、および制御信号線が含まれる。また、ゲートアレイ３３にはイメージセンサ２１、記録部２２、操作部２３、表示部２４および外部接続部２５が接続されている。ＮＣＵ３４には、公衆電話回線２７が接続されている。
【００２１】
ＲＡＭ３１はＣＰＵ３０の作業領域や読み取った画像の展開領域などのためにラインバッファメモリとして用いられる。モデム３５は、ファクシミリデータの変調や復調などを行なう。ＲＯＭ３２は設定値などのデータを記憶している。ＥＥＰＲＯＭ３６は各種のフラグや設定情報などを記憶する。一方、ゲートアレイ３３はＣＰＵ３０とイメージセンサ２１等の各部との入出力インターフェースとして機能する。コーデック３７はファクシミリデータの符号化や復号化を行なう。ＤＭＡＣ３８は、主にＲＡＭ３１へのデータの書き込みや読み出しを行なう。
【００２２】
記録部２２はレーザプリンタなどであり、記録紙に対して画像を記録する機能を備えるものである。操作部２３は、使用者により押下された操作ボタンに対応して操作信号をＣＰＵ３０に伝えるためのものである。表示部２４は、ＬＣＤ（Liquid  Crystal  Display：液晶表示ディスプレイ）などを備えており、複合機１の動作状態などを表示する。外部接続部２５は、複合機１に対してパーソナルコンピュータなどの外部機器を接続する際に用いられる。
【００２３】
次に図４（Ａ），図４（Ｂ）を用いて、イメージセンサ２１の説明をする。このように、基板１４にイメージセンサＩＣチップ２ａ〜２ｌが設けられており、個々のイメージセンサＩＣチップ２には受光素子２０がライン状に配列されている。受光素子２０は原稿の反射光を受光して光電変換するもので、１つのイメージセンサ２１につき数千個程度配列されている。一方、イメージセンサＩＣチップ２は複数のブロックＢ１〜Ｂ３に予め分割されており、例えばブロックＢ１には４個のイメージセンサＩＣチップ２ａ〜２ｄが含まれている。同様にしてブロックＢ２にはイメージセンサＩＣチップ２ｅ〜２ｈが含まれ、ブロックＢ３にはイメージセンサＩＣチップ２ｉ〜２ｌが含まれている。
【００２４】
ブロックＢ１ではイメージセンサＩＣチップ２ａから２ｄに向かって画像読取処理を行い、ブロック内最後部のイメージセンサＩＣチップ２ｄから画像信号が信号線４ａに出力される。同様にして、ブロックＢ２の画像信号は信号線４ｂに出力され、ブロックＢ３の画像信号は信号線４ｃに出力される。信号線４ａ〜４ｃはコネクタ１８に接続されている。このコネクタ１８にはフレキシブルフラットケーブル３９（図７参照）が接続され、各ブロックＢ１〜Ｂ３から出力された画像信号はこのフレキシブルフラットケーブル３９を通ってメインボード２８に送信される。
【００２５】
図４（Ａ）、図４（Ｂ）に示すように、コネクタ１８は基板１４の中央付近に設けられている。具体的には、コネクタ１８はブロックＢ２（２番目のブロック）に対応する位置に設けられている。従来のイメージセンサはコネクタ１８が基板１４の端に位置していたため（図１４（Ａ）参照）、コネクタ１８から離れているブロックｂ３の画像出力にノイズがのりやすい問題があったが、本実施例ではそのような問題が生じにくい。また、図１４（Ａ）の従来例と比較すると、本実施例では信号線４ａ〜４ｃが並走する距離Ｌが短いため、クロストークの発生を抑制できる。
【００２６】
なお、上述したように、ブロック数は３ｎ個（ｎは正の整数）にするとよい。例えば図５に示すように、ブロック数を６個にするとよい。この場合、ブロックＢ４（４番目のブロック）に対応する位置にコネクタ１８を配置すると、図４で説明したのと同じ効果が得られる。また、図示しないが、ブロック数を９個にしてもよい。その場合、コネクタ１８を５番目のブロックに対応する位置に配置すると、上述の効果が得られる。なお、上記効果を得るための、コネクタ１８の配置位置は、[ブロック数／２]＋１番目のブロック（[]はガウス記号）に対応する位置である、と一般的に表現することができる。
【００２７】
また、図６に示すように、ブロック数が６個の場合、ブロックＢ３（３番目のブロック）に対応する位置にコネクタ１８を配置してもよい。さらに、図示しないが、ブロック数が９個の場合、４番目のブロックに対応する位置に配置してもよい。なお、上記効果を得るための、コネクタ１８の配置位置は、[ブロック数／２]番目のブロック（[]はガウス記号）に対応する位置である、と一般的に表現することができる。
【００２８】
なお、受光素子２０を、Ａ３サイズの原稿の横幅を読み取れる長さに配列することができる。Ａ３サイズのように比較的大きめの原稿を読み取れるようにすると、従来の構造では、複数の信号線４が並走する距離が長くなるため、クロストークが生じやすくなる。そのため、コネクタ１８を中央付近に配置することによってノイズやクロストークを抑制するという本発明の効果が特に顕著に現れる。
【００２９】
図７に、イメージセンサ２１の外観図を示す。基板１４およびイメージセンサＩＣチップ２ａ〜２ｌは樹脂製のフレーム４９内に収納されている。フレーム４９の中央付近にコネクタ１８が位置し、そのコネクタ１８にフレキシブルフラットケーブル３９が接続されている。また、フレーム４９の両端には、位置決め部材５５，５６が設けられている。この位置決め部材５５，５６は、キャリッジ（図示しない）にて支持されている。位置決め部材５５はイメージセンサ２１の前後および上下の位置を決めており、位置決め部材５６は左右の位置を決めている。従来のイメージセンサは、図１４（Ｂ）に示すように、コネクタ１１８が位置決め部材１５５，１５６の付近にくるため、フレキシブルフラットケーブル１３９の引き回しが困難になり、組立て性が悪化するという問題があったが、本発明ではコネクタ１８が中央付近にあるため（図７）、このような問題が生じにくい。
【００３０】
図８に、イメージセンサ２１の内部構造の斜視図を示す。この実施例では、２個の光源１５ａ，１５ｂがイメージセンサ２１内の両端に配置されている。この光源１５ａ，１５ｂはＬＥＤ等の発光素子から構成されており、赤、緑、青の光をそれぞれ発する発光素子１５Ｒ，１５Ｇ，１５Ｂの組み合わせによって白色光を取り出せるようになっている。また、光源１５ａ，１５ｂの間には、アクリル樹脂等の透明樹脂からなる導光部４６が設けられている。この導光部４６は円筒形状をしており、光源１５ａ，１５ｂからの光が両端から入射されるようになっている。また、図８（Ｂ）に示すように、導光部４６の底部には鋸状の光反射部４６ａが形成されている。光源１５ａ，１５ｂの光は導光部４６の両端から入った後、内部で反射を繰り返し、光反射部４６ａ等で反射して上方へ出る。この光によって原稿Ａが照射される。なお、図８（Ｃ）に示すように、光源１５ａ，１５ｂは光源用配線５４ａ，５４ｂによってコネクタ１８と接続されており、この光源用配線５４ａ，５４ｂを通して電力が供給される。
【００３１】
図９はイメージセンサ２１の断面図である。このように、基板１４、イメージセンサＩＣチップ２ａ〜２ｌ、光源１５ａ，１５ｂ（図示しない）、導光部４６、レンズアレイ４７がフレーム４９に収納されて、イメージセンサ２１を構成している。光源１５ａ，１５ｂからの光は導光部４６を通って内部で反射を繰り返し、放射される。その後、光はＦＢ原稿台１９を通って原稿Ａを照射する。原稿Ａによって反射した光はＦＢ原稿台１９を通り、レンズアレイ４７で焦点が結ばれて受光素子２０に到る。受光素子２０は光電変換をすることで、受光した光を画像信号として出力する。その画像信号はコネクタ１８、フレキシブルフラットケーブル３９を通ってメインボード２８へ送信される。
【００３２】
なお、図１０に示すように、光源１５を基板１４の中央付近に設けてもよい。このようにすると、コネクタ１８と光源１５を接続する光源用配線５４の長さを短くでき、電源やＧＮＤ等の、他の配線を形成するためのスペースを基板１４上に十分に確保することが可能となる。また、照明効率もよくなる。
【００３３】
次に、複合機１の概略斜視図を図１１に示す。このように、イメージセンサ２１の中央付近からフレキシブルフラットケーブル３９が延びており、イメージセンサ２１の一端にベルト５２が取り付けられている。モータ５０が回転することにより、イメージセンサ２１が前後方向に移動する。また、イメージセンサ２１の他端には、イメージセンサ２１を移動可能に支持するためのロッド５７が設けられている。
【００３４】
従来の複合機１では、図１５に示すように、イメージセンサ１２１の中央にベルト１５２およびロッド５７を設けていたため、コネクタ１１８を端に配置し、フレキシブルフラットケーブル３９とベルト５２、ロッド５７が互いに干渉しないようにしていた。しかし本発明では、図１１に示すように、ベルト５２およびロッド５７をイメージセンサ２１の端に配置したため、コネクタ１１８を中央部分に設けることが可能になった。
【００３５】
次に、図１２、図１３の回路図について説明する。図１２に示すように、イメージセンサＩＣチップ２は、受光素子２０を構成する周知のフォトトランジスタＰＴ１〜ＰＴｎを備えている。これらのフォトトランジスタＰＴ１〜ＰＴｎは光を受けると、その受光量に対応した電荷を蓄える。このイメージセンサＩＣチップ２自体の基本的な回路構成は、従来のものと同様である。
【００３６】
図１３のように、ゲートアレイ３３は、ＣＰＵ３０の統括的な制御の下に、イメージセンサ２１に対してスタートパルスＳＰおよびクロック信号ＣＬＫ等を供給するＣＩＳ制御ブロック４３、サンプルホールド回路（Ｓ／Ｈ）４０，マルチプレクサ４１，およびアナログ・デジタル変換器（Ａ／Ｄ）４２によって構成されるアナログフロントエンド（ＡＦＥ）回路、そのＡＦＥ回路に各種制御信号を送るアナログフロントエンド（ＡＦＥ）制御ブロック４４、アナログ・デジタル変換器４２から出力されたデジタル信号をサンプリングして、ＲＡＭ３１に含まれる画像メモリの所定領域に順次書き込むメモリ書込み制御ブロック４５などが設けられている。
【００３７】
スタートパルスＳＰは、３つのブロックＢ１〜Ｂ３のそれぞれの左に位置する計３つのイメージセンサＩＣチップ２（２ａ，２ｅ，２ｉ）に分かれて入力されるようになっている。図１２に示すように、例えばブロックＢ１の２番目のイメージセンサＩＣチップ２（２ｂ）は、１番目のイメージセンサＩＣチップ２（２ａ）の端子Ｐ４からシリアルアウト信号ＳＯが出力され、且つこれがスタートパルスＳＰとして入力されることによりその駆動を開始するようになっている。他のブロックＢ２，Ｂ３のイメージセンサＩＣチップ２も同様な構成になっており、３つのブロックＢ１〜Ｂ３のいずれにおいても１番目のイメージセンサＩＣチップ２（２ａ，２ｅ，２ｉ）の駆動を終えた後に、２番目のイメージセンサＩＣチップ２（２ｂ，２ｆ，２ｊ）が駆動を開始する。同様にして、２番目のイメージセンサＩＣチップの駆動を終えた後に、３番目のイメージセンサＩＣチップ２（２ｃ，２ｇ，２ｋ）の駆動が開始される。３番目のイメージセンサＩＣチップ２の駆動が終了すると、４番目のイメージセンサＩＣチップ２（２ｄ，２ｈ，２ｌ）の駆動が開始される。一方、ゲートアレイ３３から送出されるクロック信号ＣＬＫは、１２個のイメージセンサＩＣチップ２（２ａ〜２ｌ）のそれぞれに分かれて入力されるようになっている。
【００３８】
使用者の操作部２３の操作に基づいて原稿Ａの読み取り動作が開始されると、ゲートアレイ３３から出力されるスタートパルスＳＰが端子Ｐ１に入力され、シフトレジスタ２９は、端子Ｐ２に入力されるクロック信号ＣＬＫに基づいて複数のＦＥＴ１〜ＦＥＴｎを一定の方向に順次オン状態としていく。すると、複数のフォトトランジスタＰＴ１〜ＰＴｎに蓄えられていた電荷は一定の順序で放出されていき、増幅器Ｏｐによって増幅されてから端子Ｐ３から画像信号ＡＯとしてシリアル出力される。この画像信号ＡＯは、アナログ信号である。イメージセンサＩＣチップ２は、最終のフォトトランジスタＰＴｎから画像信号が出力された時点でシリアルアウト信号ＳＯを出力する端子Ｐ４も備えている。その他、イメージセンサＩＣチップ２は、このイメージセンサＩＣチップ２内の各部を動作させるのに必要な駆動電力を供給するための電圧ＶＤＤ印加用端子Ｐ５や、グランドＧＮＤ接続用の端子Ｐ６も備えている。
【００３９】
例えばブロックＢ１では、スタートパルスＳＰがイメージセンサＩＣチップ２ａの端子Ｐ１に入力されると、クロック信号ＣＬＫに基づいて端子Ｐ３から画像信号ＡＯが出力される。クロック信号ＣＬＫによってＦＥＴｎがオン状態となった後、すなわちイメージセンサＩＣチップ２ａが画像信号ＡＯの出力を終了した後に、端子Ｐ４からシリアルアウト信号ＳＯが出力され、イメージセンサＩＣチップ２ｂのスタートパルスＳＰとして入力される。このようにしてＩＣチップ２ａ〜２ｄが順次駆動し、画像信号が出力端子ＣＨ１から出力される。
【００４０】
図１３において、イメージセンサ２１の３個のブロックＢ１〜Ｂ３の各出力端子ＣＨ１〜ＣＨ３から出力されるアナログの画像信号は、フレキシブルフラットケーブル３９を経由してゲートアレイ３３に送られ、サンプルホールド回路４０において各画像信号が所定の出力レベルに安定するまで一時保存される。その後、ＡＦＥ制御ブロック４４の指令に基づいて順次アナログ・デジタル変換が行なわれる。
【図面の簡単な説明】
【００４１】
【図１】本発明に係る画像読取装置の一例。
【図２】動作状態説明図。
【図３】ブロック図の例。
【図４】イメージセンサの（Ａ）正面図（Ｂ）斜視図。
【図５】６個のブロックに分けられ、コネクタをブロックＢ４に配置した例。
【図６】６個のブロックに分けられ、コネクタをブロックＢ３に配置した例。
【図７】イメージセンサの斜視図。
【図８】（Ａ）イメージセンサの内部構造（Ｂ）光源の光が導光部によって導かれ、原稿を照射した状態（Ｃ）基板の正面図
【図９】イメージセンサの断面図。
【図１０】光源を中央付近に配置した例。
【図１１】ベルト及びロッドをイメージセンサの端に配置した画像読取装置の例。
【図１２】イメージセンサの詳細機構を示す図。
【図１３】イメージセンサからの信号の流れを示す図。
【図１４】（Ａ）基板の従来例（Ｂ）イメージセンサの従来例
【図１５】従来の画像読取装置の斜視図。
【符号の説明】
【００４２】
１  複合機
２  イメージセンサＩＣチップ
４ａ，４ｂ，４ｃ  信号線
１４  基板
１５ａ，１５ｂ  光源
１８  コネクタ
２０  受光素子
２１  イメージセンサ
３９  フレキシブルフラットケーブル
４９  フレーム
５２  駆動ベルト
５５ａ，５５ｂ  光源用配線
５７  ロッド
Ｂ  （イメージセンサＩＣチップの）ブロック
【図１】
2007251317.tif 000003
【図２】
2007251317.tif 000004
【図３】
2007251317.tif 000005
【図４】
2007251317.tif 000006
【図５】
2007251317.tif 000007
【図６】
2007251317.tif 000008
【図７】
2007251317.tif 000009
【図８】
2007251317.tif 000010
【図９】
2007251317.tif 000011
【図１０】
2007251317.tif 000012
【図１１】
2007251317.tif 000013
【図１２】
2007251317.tif 000014
【図１３】
2007251317.tif 000015
【図１４】
2007251317.tif 000016
【図１５】
2007251317.tif 000017